(57)【要約】【課題】仕事上必要な書類を入れるファイルの表面に１年間の暦を印刷しておくことで、手元で今日現在、あるいは今月を中心とした何カ月前、何カ月後の日にちが容易に分かるようにすること。また、ファイルの表面には暦の印刷だけではなく、仕事のスケジュール上に必要なメモが書き込みが可能なようにして、使い勝手を良くすること。さらには、単なるカレンダー機能だけではなく、ファイル自体に高級感を持たせること。【解決手段】書類を出し入れ自在としたファイル本体１の材料を紙材で構成し、紙材の色彩を黒色とする。ファイル本体１の表面には１月から６月の暦を印刷したカレンダー部２を設ける。ファイル本体１の裏面には７月から１２月の暦を印刷したカレンダー部２を設ける。カレンダー部２の下方にはメモ部３を設けている。【選択図】図１
0003138871.tif 000002
【実用新案登録請求の範囲】
【請求項１】
書類を出し入れ自在としたファイル本体（１）の表面に１年間の暦を印刷したカレンダー部（２）を設けていることを特徴とするカレンダー。
【請求項２】
前記カレンダー部（２）以外にメモを記載するメモ部（３）を設けていることを特徴とする請求項１に記載のカレンダー。
【請求項３】
前記ファイル本体（１）を紙材で構成し、該紙材の表面の色彩を黒色としていることを特徴とする請求項１または請求項２に記載のカレンダー。
【請求項４】
前記ファイル本体（１）を透明あるいは半透明の合成樹脂で構成し、該ファイル本体（１）の内面側にカレンダー部（２）を設けていることを特徴とする請求項１または請求項２に記載のカレンダー。
【請求項５】
書類を出し入れ自在としたファイル本体（１）の中央の中央片（２１）の外面と、前記中央片（２１）との間に隙間を設けて配置されている透明のプレート（２２）の内面との間の隙間に出し入れ自在とした背見出し紙（２４）の表面に１年間の暦を印刷したカレンダー部（２）を設けていることを特徴とするカレンダー。
【考案の詳細な説明】
【技術分野】
【０００１】
本考案は、カレンダーに関するものである。
【背景技術】
【０００２】
従来より様々なカレンダーが提供されてきており、日めくりのカレンダー、月ごとにめくるカレンダー、２カ月毎にめくるカレンダー、１年間をまとめた１枚の大きなカレンダー等である。
これらのカレンダーは、通常は壁面に取り付けられており、遠くから見た場合日にちが良く分かるのは月ごとのカレンダーである。１年間をまとめたカレンダーは文字が小さく印刷されているため、近くまで行かないと分からないとい難点がある。
【０００３】
上記の月ごとのカレンダーには、翌月と先月の暦を小さな文字で印刷されているものがあり、今月を中心にして翌月と先月の暦が即座に分かり重宝がられている。しかしながら、何カ月後の暦を知りたい場合には、カレンダーをいちいちめくる必要があり、また、何カ月前の暦は既に破り捨てているので、知ることは不可能である。
上記の１年間の暦をまとめたカレンダーでは、その１年間の暦は直ぐに分かるものの上述したように文字が小さくその場所からでは即座に認識することは不可能である。
【０００４】
特に会社内での会議などでは、仕事のスケジュール上、何カ月前、何カ月後の日にちが必要となり、常に暦が要求される場合が多々あるのが現状である。また、手帳には１年間のカレンダーが印刷されているものの、社内での会議では必要な書類自体は必ず持って参加するが、会議に集合する場合、案外手帳を忘れる場合がある。このような場合、手帳を取りに行くのが煩わしく、その分会議の始まりが遅くなり、他の人に迷惑をかける上に、全体の人数を考えた場合、大変な時間のロスにもなる。
【０００５】
【非特許文献１】一般の市販のカレンダー
【考案の開示】
【考案が解決しようとする課題】
【０００６】
本考案は上述の問題点に鑑みて提供したものであって、少なくとも以下の目的を持ったカレンダーを提供するものである。
（１）仕事上必要な書類を入れるファイルの表面に１年間の暦を印刷しておくことで、手元で今日現在、あるいは今月を中心とした何カ月前、何カ月後の日にちが容易に分かるようにすること。
（２）ファイルの表面には暦の印刷だけではなく、仕事のスケジュール上に必要なメモが書き込みが可能なようにして、使い勝手を良くすること。
（３）単なるカレンダー機能だけではなく、ファイル自体に高級感を持たせること。
【課題を解決するための手段】
【０００７】
そこで、本考案の請求項１に記載のカレンダーでは、書類を出し入れ自在としたファイル本体１の表面に１年間の暦を印刷したカレンダー部２を設けていることを特徴としている。
【０００８】
請求項２に記載のカレンダーでは、前記カレンダー部２以外にメモを記載するメモ部３を設けていることを特徴としている。
【０００９】
請求項３に記載のカレンダーでは、前記ファイル本体１を紙材で構成し、該紙材の表面の色彩を黒色としていることを特徴としている。
【００１０】
請求項４に記載のカレンダーでは、前記ファイル本体１を透明あるいは半透明の合成樹脂で構成し、該ファイル本体１の内面側にカレンダー部２を設けていることを特徴としている。
【００１１】
請求項５に記載のカレンダーでは、書類を出し入れ自在としたファイル本体１の中央の中央片２１の外面と、前記中央片２１との間に隙間を設けて配置されている透明のプレート２２の内面との間の隙間に出し入れ自在とした背見出し紙２４の表面に１年間の暦を印刷したカレンダー部２を設けていることを特徴としている。
【考案の効果】
【００１２】
本考案の請求項１に記載のカレンダーによれば、書類を出し入れ自在としたファイル本体１の表面に１年間の暦を印刷したカレンダー部２を設けているので、ファイル本体１内には仕事上に必要な書類の出し入れが可能（容易）であり、会議の場合では、ファイル本体１に書類を入れて集まり、会議での仕事の日程においては、書類を出したファイル本体１の表面のカレンダー部２を見ることで、今日現在、あるいは今月を中心として、先月、翌月はもちろん何カ月前、何カ月後の日にちを容易に認識することができる。これにより、今後のスケジュールを容易且つ簡単に組むことができる。
【００１３】
請求項２に記載のカレンダーによれば、カレンダー部２以外にメモを記載するメモ部３を設けていることで、使い勝手が向上する上に、該スケジュールと関連する仕事や用事に関連する書類をファイル本体１に入れているので、書類とメモとの関連性が分かり、後日になって何のメモをしたのか分からなくなるということもない。
【００１４】
請求項３に記載のカレンダーによれば、ファイル本体１を紙材で構成し、該紙材の表面の色彩を黒色としているので、高級感を醸し出すことができ、気分よく仕事を進めることができる。
【００１５】
請求項４に記載のカレンダーによれば、ファイル本体１を透明あるいは半透明の合成樹脂で構成し、該ファイル本体１の内面側にカレンダー部２を設けているので、ファイル本体１内には仕事上に必要な書類の出し入れが可能（容易）であり、会議の場合では、ファイル本体１に書類を入れて集まり、会議での仕事の日程においては、書類を出したファイル本体１の表面のカレンダー部２を見ることで、今日現在、あるいは今月を中心として、先月、翌月はもちろん何カ月前、何カ月後の日にちを容易に認識することができる。これにより、今後のスケジュールを容易且つ簡単に組むことができる。
【００１６】
請求項５に記載のカレンダーによれば、書類を出し入れ自在としたファイル本体１の中央の中央片２１の外面と、前記中央片２１との間に隙間を設けて配置されている透明のプレート２２の内面との間の隙間に出し入れ自在とした背見出し紙２４の表面に１年間の暦を印刷したカレンダー部２を設けているので、ファイル本体１内には仕事上に必要な書類の出し入れが可能（容易）であり、会議の場合では、ファイル本体１に書類を入れて集まり、会議での仕事の日程においては、書類を出したファイル本体１の背見出し紙２４のカレンダー部２を見ることで、今日現在、あるいは今月を中心として、先月、翌月はもちろん何カ月前、何カ月後の日にちを容易に認識することができる。これにより、今後のスケジュールを容易且つ簡単に組むことができる。
【考案を実施するための最良の形態】
【００１７】
（第１の実施の形態）
以下、本考案の第１の実施の形態を図面を参照して詳細に説明する。図１（ａ）はファイル本体１の表面図を示し、図１（ｂ）はファイル本体１の裏面図を示している。この例では、ファイル本体１の表面には１月から６月の暦を印刷しており、ファイル本体１の裏面には７月から１２月までの暦を印刷している。なお、ここでは、各暦の部分をカレンダー部２として説明していく。
【００１８】
ファイル本体１自体の機能は、通常のファイルと同じであり、図１（ａ）の例では左側と下端部分が閉じられており、上側と右側が開放されている。そして、上側から、あるいは右側から書類の出し入れを行なうようになっている。
【００１９】
このファイル本体１は紙で構成しており、表面の色は黒色とし、カレンダー部２の月曜日、火曜日・・・や、日曜日、祝日以外の日にちは白色とし、また、日曜日や祝日に対応した日にちは赤色としている。
【００２０】
また、カレンダー部２の下方のファイル本体１の表裏の下端部にはそれぞれ例えば長方形状のメモ部３を設けている。ファイル本体１の表面を紙材としていることで、このメモ部３に鉛筆、ボールペンなどの筆記具により容易に書くことができる。このメモ部３には、例えば、仕事上のスケジュールをカレンダー部２を参照しながら書くことができる。
なお、このメモ部３の部分はその機能上、黒色とはせずに、白色あるい白色系の地肌を露出させて筆記具にて記載可能としてある。
【００２１】
図２は、ファイル本体１の構成を説明するための図を示し、ちょうどファイル本体１の下端部を閉じる前の状態を示している。図３（ａ）は図２のＡ部の拡大断面図を示し、図３（ｂ）は図２のＢ部の拡大断面図を示している。
図３に示すように、ファイル本体１の表面側には紙材からなるベース基材１１で構成されており、このベース基材１１の内面の全体にわたってポリプロピレンからなるフィルム層１２が貼合されている。
【００２２】
そして、内面に上記フィルム層１２を貼合したベース基材１１の中央部分で内側に折曲してベース基材１１を重ね合わせ、ベース基材１１の下端の表面から横方向に高周波を照射させることで、内側で重ね合わせられたフィルム層１２の部分が高周波溶着される。
このフィルム層１２の下端が高周波溶着されることで、図４に示すように、フィルム層１２が一体となり、ファイル本体１の下端が横方向に閉じられることになる。図５はこの高周波溶着によりファイル本体１の下端が閉じられた溶着部１３を示している。これにより、ファイル本体１の表面を紙材で構成していても、ベース基材１１の内面に貼合したフィルム層１２により容易に下端を溶着して閉じることができ、一般のファイルと同様の構成のファイル本体１を形成することができる。
【００２３】
上述のように構成されたファイル本体１内には仕事上に必要な書類の出し入れが可能（容易）であり、会議の場合では、ファイル本体１に書類を入れて集まり、会議での仕事の日程においては、書類を出したファイル本体１の表面のカレンダー部２を見ることで、今日現在、あるいは今月を中心として、先月、翌月はもちろん何カ月前、何カ月後の日にちを容易に認識することができる。
これにより、今後のスケジュールを容易且つ簡単に組むことができる。また、現在のファイルはコストの面からほとんど安っぽい透明なポリプロピレン系の物であるが、本考案のファイル本体１は、ベースを紙材として構成し、且つ色彩を黒色としているので、高級感を醸し出すことができ、気分よく仕事を進めることができるものである。
【００２４】
さらには、スケジュール上に必要な事柄にはファイル本体１のメモ部３にメモをしておくことができ、使い勝手が向上する上に、該スケジュールと関連する仕事や用事に関連する書類をファイル本体１に入れているので、書類とメモとの関連性が分かり、後日になって何のメモをしたのか分からなくなるということもない。
【００２５】
（第２の実施の形態）
上記実施形態では、ファイル本体１の表面に６カ月分のカレンダー部２を印刷し、ファイル本体１の裏面には後の６カ月分のカレンダー部２を印刷していたが、図６に示すように、ファイル本体１の下部に１２カ月分の１年間の暦のカレンダー部２を印刷するようにしても良い。
この場合は、ファイル本体１を裏返す必要がなく、一見して年間の暦を認識することができる。もちろん、ファイル本体１の表面と裏面に１２カ月分の１年間のカレンダー部２をそれぞれ印刷するようにしても良い。かかる場合には、ファイル本体１を表面、裏面のどちらを向けて置いてもカレンダー部２が表れているため、ファイル本体１を裏返して見る必要もない。
【００２６】
なお、上記第１、第２の実施形態においては、ファイル本体１の色彩を黒色として説明したが、黒色に限られるものではない。ファイル本体１の色彩は、カレンダー部２の文字、数字が容易に認識できるものであれば、どのような色彩でも良い。
また、カレンダー部２、メモ部３以外の部分には、模様などのデザインを施しても良く、また、ファイル本体１を販売促進用として使用する場合には、会社名を印刷するようにしても良い。
【００２７】
（第３の実施の形態）
図７に第３の実施形態を示す。この第３の実施形態ではファイル本体１の材料をポリプロピレン系で構成したものであり、透明、半透明なファイル本体１としている。カレンダー部２、メモ部３の構成は先の実施形態のファイル本体１の場合と同様である。
【００２８】
先の実施形態では、ファイル本体１の表面にカレンダー部２を印刷していたが、本実施形態では、ファイル本体１の材質がポリプロピレンなので、使用状況によりカレンダー部２が剥離する恐れがあり、そのため、カレンダー部２はファイル本体１の内面に印刷するようにしている。もちろん、カレンダー部２をファイル本体１の外面に印刷するようにしても良い。
例えば、カレンダー部２は曜日の文字や数字のみを印刷しておいても良いが、見易くするために、これら曜日や数字を印刷した後に、例えば白色系の色彩を月ごと、あるいはファイル本体１の内面の全体にわたって印刷するようにしても良い。これによりカレンダー部２の文字や数字が非常に見易くなる。
【００２９】
この実施形態においても、先の実施形態の場合と同様の効果を奏するものである。
【００３０】
（第４の実施の形態）
第４の実施形態を図８に示す。先の実施形態におけるファイル本体１は、偏平であり、収納した書類はファイル本体１に直接綴じるものではなく、出し入れが容易なものとしている。本実施形態におけるファイル本体１は、書類の左側に、例えば２つの穴を穿設して、棒状の金具にて綴じるタイプであって、何十枚の書類を綴じるタイプのファイル本体１の場合である。
【００３１】
ファイル本体１の中央の中央片２１の外側には全面にわたって隙間をあけるようにして透明で板状の樹脂材からなるプレート２２が設けられていて、このプレート２２の内面と上部中央片２１の外面との間に空間部とした収納部２３が形成されている。
この偏平な収納部２３内には、ファイル本体１に綴じた書類の内容に関する見出しを記載する背見出し紙２４が出し入れ自在に挿入されるようになっている。
【００３２】
この背見出し紙２４の任意の箇所、この場合は背見出し紙２４の下部に１年間の暦を印刷したカレンダー部２を設けている。ファイル本体１の収納部２３に挿入する背見出し紙２４は、本来、見出しを書くために出し入れ自在となっていることから、年度ごとのカレンダー部２が印刷された背見出し紙２４を予め用意しておき、年度が変わる毎にその年の暦が印刷された背見出し紙２４を入れ代えるようにする。
これにより、本実施形態においても先の実施形態の場合と同様の効果を奏するものである。なお、本実施形態では、背見出し紙２４の表面に半年間の暦を印刷したカレンダー部２とし、背見出し紙２４の裏面には、あと半年間の暦を印刷したカレンダー部２を設けておき、半年毎に背見出し紙２４を裏返して使用するようにしても良い。
【００３３】
このように本実施形態では、ファイル本体１内には仕事上に必要な書類の出し入れが可能（容易）であり、会議の場合では、ファイル本体１に書類を入れて集まり、会議での仕事の日程においては、書類を出したファイル本体１の背見出し紙２４のカレンダー部２を見ることで、今日現在、あるいは今月を中心として、先月、翌月はもちろん何カ月前、何カ月後の日にちを容易に認識することができる。これにより、今後のスケジュールを容易且つ簡単に組むことができる。
【図面の簡単な説明】
【００３４】
【図１】（ａ）（ｂ）は第１の実施の形態におけるファイル本体の表面図、裏面図である。
【図２】第１の実施の形態におけるファイル本体を説明するための展開図である。
【図３】（ａ）は第１の実施の形態における図２のＡ部の拡大断面図、（ｂ）は図２のＢ部の拡大断面図である。
【図４】第１の実施の形態におけるファイル本体の溶着部における要部拡大断面図である。
【図５】第１の実施の形態におけるファイル本体の溶着部を示す図である。
【図６】第２の実施の形態におけるファイル本体の平面図である。
【図７】第３の実施の形態におけるファイル本体の平面図である。
【図８】第４の実施の形態におけるファイル本体の分解斜視図である。
【符号の説明】
【００３５】
１  ファイル本体
２  カレンダー部
３  メモ部
２１  中央片
２２  プレート
２４  背見出し紙
【図１】
0003138871.tif 000003
【図２】
0003138871.tif 000004
【図３】
0003138871.tif 000005
【図４】
0003138871.tif 000006
【図５】
0003138871.tif 000007
【図６】
0003138871.tif 000008
【図７】
0003138871.tif 000009
【図８】
0003138871.tif 000010